(57)【要約】【課題】  単一の生体情報センサにより視聴者の心理状態を推定する。また、その推定結果により最適な状態で映像や音響を再生可能な再生装置を提供する。【解決手段】  映像信号および音響信号の少なくとも一方を再生する再生手段３６と、対象者の複数の生体情報を有するアナログ生体信号を出力する単一の生体情報センサ１１とを設ける。アナログ生体信号を解析して複数の生体情報の信号を分離して出力する解析回路１２と、複数の生体情報の信号の測定値と、その初期値あるいは標準値とから対象者の心理状態およびその強度を推定する回路２０とを設ける再生手段３６により再生される映像信号および音響信号の少なくとも一方を、推定する回路２０の推定結果により変化させる手段２６を設ける。【選択図】  図１
2006015046.tif 000002
【特許請求の範囲】
【請求項１】
対象者の複数の生体情報を有するアナログ生体信号を出力する単一の生体情報センサと、
上記アナログ生体信号を解析して上記複数の生体情報の信号を分離して出力する解析回路と、
上記複数の生体情報の信号の測定値と、その初期値あるいは標準値とから上記対象者の心理状態およびその強度を推定する回路と
を有する生体情報の処理装置。
【請求項２】
請求項１に記載の処理装置において、
上記生体情報センサが上記対象者の身体あるいは服飾品に装着されるタイプのセンサである
ようにした生体情報の処理装置。
【請求項３】
請求項１に記載の処理装置において、
上記複数の生体情報の信号の少なくとも１つが、上記対象者の呼吸、脈拍あるいは筋電の信号である
ようにした生体情報の処理装置。
【請求項４】
請求項１に記載の処理装置において、
上記対象者の心理状態として、その対象者の情動、気分、覚醒度および感情価の少なくとも１つを推定する
ようにした生体情報の処理装置。
【請求項５】
請求項４に記載の処理装置において、
上記覚醒度を上記心拍数あるいは呼吸数の少なくとも一方の変化から推定する
ようにした生体情報の処理装置。
【請求項６】
請求項４に記載の処理装置において、
上記感情価を上記筋電の変化から推定する
ようにした生体情報の処理装置。
【請求項７】
映像信号および音響信号の少なくとも一方を再生する再生手段と、
視聴者の複数の生体情報を有するアナログ生体信号を出力する単一の生体情報センサと、
上記アナログ生体信号を解析して上記複数の生体情報の信号を分離して出力する解析回路と、
上記複数の生体情報の信号の測定値と、その初期値あるいは標準値とから上記視聴者の心理状態およびその強度を推定する回路と、
上記再生手段により再生される映像信号および音響信号の少なくとも一方を、上記推定する回路の推定結果により変化させる手段と
を有する映像音響再生装置。
【請求項８】
請求項７に記載の映像音響再生装置において、
上記生体情報センサが上記視聴者の身体あるいは服飾品に装着されるタイプのセンサである
ようにした映像音響再生装置。
【請求項９】
請求項７に記載の映像音響再生装置において、
上記複数の生体情報の信号の少なくとも１つが、上記視聴者の呼吸、脈拍あるいは筋電の信号である
ようにした映像音響再生装置。
【請求項１０】
請求項７に記載の映像音響再生装置において、
上記視聴者の心理状態として、その視聴者の情動、気分、覚醒度および感情価の少なくとも１つを推定する
ようにした映像音響再生装置。
【請求項１１】
請求項１０に記載の映像音響再生装置において、
上記覚醒度を、上記心拍数あるいは呼吸数の少なくとも一方の変化から推定する
ようにした映像音響再生装置。
【請求項１２】
請求項１０に記載の映像音響再生装置において、
上記感情価を上記筋電の変化から推定する
ようにした映像音響再生装置。
【請求項１３】
請求項７に記載の映像音響再生装置において、
上記映像信号あるいは上記音響信号の少なくとも一方を変化させる手段が、その信号の再生速度、音量、色およびコンテンツの少なくとも１つを変化させる
ようにした映像音響再生装置。
【請求項１４】
請求項７に記載の映像音響再生装置において、
上記生体情報、この生体情報に基づいて変化させた音響信号および上記映像信号の少なくとも１つを記録するための記録手段を有する。
ようにした映像音響再生装置。
【請求項１５】
請求項１４に記載の映像音響再生装置において、
上記記録手段が、光ディスク、光磁気ディスク、磁気テープ、ハードディスク、半導体メモリおよびＩＣカードのいずれかである
ようにした映像音響再生装置。
【請求項１６】
請求項１５に記載の映像音響再生装置において、
上記光ディスクが、ＣＤ、ＣＤ−Ｒ、ＣＤ−ＲＷ、ＭＤ、ＤＶＤ±Ｒ、ＤＶＤ±ＲＷ、ＤＶＤ−ＲＡＭおよびブルーレイディスクのいずれかである
ようにした映像音響再生装置。
【請求項１７】
請求項７〜請求項１６に記載の映像音響再生装置において、
上記生体情報により映像信号および上記音響信号の少なくとも一方に変化を与える機能の禁止・許可をユーザが選択できる
ようにした映像音響再生装置。
【発明の詳細な説明】
【技術分野】
【０００１】
この発明は、生体情報の処理装置および映像音響再生装置に関する。
【背景技術】
【０００２】
めがね、イヤリング、ペンダント、腕時計、上着などの服飾品に生体情報センサを装着することにより、その服飾品を身につけている人の生体情報を検出し、この検出した生体情報からその人の感情や心理状態を推定することが考えられている。
【０００３】
例えば、脈拍数（脈拍には、心拍を含む）の変動から心理状態を推定する方法もあり、対象者の身体に心電位検出手段や脈拍センサを装着して脈拍数を測定し、その変動から対象者の緊張度あるいは感情の変化を検出するようにしている（例えば、特許文献１および２参照）。
【０００４】
あるいは、指先や手首に直接に装着したセンサにより、あるいはネックレス、めがね、カード、歩数計などに装着したセンサにより、心拍や脈拍を測定して緊張度や感情の変化を推定する方法もある。また、対人交渉の際の相手と自分の脈拍数の一致度を評価し、相手との同調度（引き込み現象における引き込みの程度）を推定する方法もある（例えば、特許文献２および３参照）。
【０００５】
さらに、光血流量、心電、皮膚電気活動、皮膚温度などの複数の生理信号から心理状態を推定する方法もある。この場合には、対象者の身体に腕時計型のセンサを装着して光血流量、心電、皮膚電気活動、皮膚温度を測定するとともに、その測定結果からそれぞれの指標の特徴を抽出した特徴ベクトルを生成する。そして、この特徴ベクトルと、あらかじめデータベースに蓄えられている複数の情緒状態値とを比較することにより、心理状態を「喜び、安堵、満足、落ち着き、増長、悲しみ、不満、怒り、驚き、恐怖、憂鬱、ストレス」などに分類している（例えば、特許文献４参照）。
【０００６】
そして、上記のような心理状態を推定できれば、例えば機器の操作が困難な病人であっても、そのときの心理状態に応じた適切な環境を自動的に得ることができる。
【０００７】
なお、上記の文献は次のとおりである。
【特許文献１】特開平７−３２３１６２号公報
【特許文献２】特開２００２−２３９１８号公報
【特許文献３】特開平１１−４８９２号公報
【特許文献４】特開２００２−１１２９６９号公報
【発明の開示】
【発明が解決しようとする課題】
【０００８】
しかし、上述の方法により心理状態を推定しようとしても、これが困難なことが多い。例えば、表情を利用する場合には、「驚き」と「困惑」などのように分類の難しいものがある。また、覚醒度（arousal）の高い状態では、感情価（valence）が正に高いとき（快のとき）と、負に高いとき（不快のとき）とで、脈拍数は同様の変化を示すことが知られている。したがって、脈拍数から感情価を推定する場合には、覚醒度の高い状態では誤りを生じることがある。
【０００９】
そこで、複数の生体情報を組み合わせることにより、推定の精度を上げることが考えられているが、そのためには複数のセンサが必要になり、装置自体が大がかりになるとともに、複雑になってしまう。また、対象者の心理的な負担も大きくなってしまう。
【００１０】
さらに、上述の推定方法では、生体情報から心理状態を分類することに主眼が置かれているので、例えば「非常に快適である」、「少し快適である」のように、心理状態の強度を測定する点については十分には考慮されていない。
【００１１】
この発明は、以上のような点にかんがみ、単一の生体情報センサの出力信号から対象者の心理状態と、その強度とを推定できる方法および装置を提供しようとするものである。また、その推定結果により、対象者の心理状態に最適な映像や音響などの環境を提供しようとするものである。
【課題を解決するための手段】
【００１２】
この発明においては、
対象者の複数の生体情報を有するアナログ生体信号を出力する単一の生体情報センサと、
上記アナログ生体信号を解析して上記複数の生体情報の信号を分離して出力する解析回路と、
上記複数の生体情報の信号の測定値と、その初期値あるいは標準値とから上記対象者の心理状態およびその強度を推定する回路と
を有する生体情報の処理装置
とするものである。
【発明の効果】
【００１３】
この発明によれば、複数の生体情報を取り出して対象者の覚醒度および感情価を算出しているので、対象者の心理状態とその強度を推定することができる。また、その推定結果により対象者の心理状態に最適な状態で映像や音響を再生することができる。しかも、複数の生体情報を単一の生体情報センサの出力から取り出しているので、対象者の負担を軽減できるとともに、装置を簡略化することができる。
【発明を実施するための最良の形態】
【００１４】
〔１〕  映像音響再生装置の例
図１はこの発明を映像音響再生装置に適用した場合の一例を示す。この映像音響再生装置は、単一の生体情報センサにより視聴者（対象者）の複数の生体情報を取得し、その取得した複数の生体情報からそのときの視聴者の心理状態を表す指標として覚醒度および感情価を求め、これらの値に応じて再生する映像や音響に変化を与えるものである。
【００１５】
このため、この映像音響再生装置は、視聴者の複数の生体情報を取得する生体情報センサ１１を有する。この生体情報センサ１１は、視聴者に非接触で生体情報を取得する非接触型のものであってもよく、あるいは視聴者の身体や服飾品に装着されて生体情報を取得する接触型のものであってもよい。
【００１６】
生体情報センサ１１を非接触型とする場合には、圧電素子や歪みゲージをフィルム状に構成したもの、あるいはそれらをカードに貼付したものなどとすることができる。そして、その生体情報センサ１１は、例えば視聴者の左胸のポケットに装着され、この結果、生体情報センサ１１からは、例えば図２Ａに示すように、筋電信号および心電信号を同時に含む信号が取り出される。
【００１７】
また、生体情報センサ１１を接触型とする場合には、例えば胸に装着した心電センサや筋電センサとすることができ、やはりセンサ出力として筋電信号および心電信号を同時に含む信号が取り出される。
【００１８】
そして、生体情報センサ１１の出力が生体情報解析回路１２に供給される。この場合、生体情報センサ１１の出力のうち、心電信号は２Hz以下の周波数帯域に分布し、筋電信号は40Hzを付近を中心とする周波数帯域に分布する信号として観測される。そこで、生体情報解析回路１２においては、生体情報センサ１１の出力がフィルタリングされ、図２Ｂに示すように、心電信号と筋電信号とに周波数分離される。そして、この分離された心電信号および筋電信号がマイクロコンピュータ２０に供給される。
【００１９】
さらに、心拍動は呼吸などにともなってその一拍一拍が揺らぐので、心電信号のＲ波の間隔も呼吸などにともなって揺らいでいる。したがって、心電信号には、呼吸の変動成分（呼吸由来成分、ＲＳＡ）が重畳しているので、心電信号を解析することにより間接的に呼吸信号を得ることができる。
【００２０】
そこで、生体情報解析回路１２においては、分離された心電信号のＲ波の時間変動を求めるとともに、ＦＦＴ処理をしてパワースペクトルを求める。このパワースペクトルの0.15〜0.40Hzの周波数帯域のピークが呼吸成分を表している。したがって、ＦＦＴ処理をする区間を例えば５秒ずつずらして上記の処理を繰り返すことにより呼吸成分のパワーの時間変動が得られ、すなわち、呼吸信号を間接的に得ることができる。この呼吸信号もマイクロコンピュータ２０に供給される。
【００２１】
そして、マイクロコンピュータ２０においては、これに供給された心電信号、筋電信号および呼吸信号から視聴者の覚醒度および感情価が算出され、その算出結果にしたがって映像および音響が適切に再生される。
【００２２】
すなわち、マイクロコンピュータ２０は、プログラムを実行するＣＰＵ２１と、各種のプログラムの書き込まれたＲＯＭ２２と、ワークエリア用のＲＡＭ２３とを有し、これらがシステムバス２９を通じて互いに接続されている。
【００２３】
この場合、ＲＯＭ２２には、ＣＰＵ２１が実行するプログラムの一部として、例えば図３に示すようなルーチン１００も用意される。このルーチン１００の詳細については後述するが、ルーチン１００は、視聴者の生体情報に基づいて視聴者が映像や音響を心地よく感じるように、映像信号あるいは音響信号を制御するためのものである。なお、図３においては、ルーチン１００は、この発明に関係する部分だけを抜粋して示している。
【００２４】
さらに、マイクロコンピュータ２０は、大容量の記録装置としてハードディスク装置２４と、キーボードやマウスなどのユーザインターフェイス２５とを有し、これらもシステムバス２９に接続されている。また、映像信号および音響信号の信号源として、この例においては、ＤＶＤプレーヤ３６が用意され、このＤＶＤプレーヤ３６は、映像音響制御回路２７を通じてシステムバス２９に接続されている。
【００２５】
この場合、映像音響制御回路２６は、ＤＶＤプレーヤ３６により再生された映像信号を制御して表示される映像の状態、例えばコントラスト、明るさ、色相、色飽和度などを変更するとともに、ＤＶＤプレーヤ３６の再生速度なども制御するものである。さらに、映像音響制御回路２６は、ＤＶＤプレーヤ３６により再生された音響信号を制御して再生される音響の音量、周波数特性、残響などを制御するものである。
【００２６】
また、システムバス２９には表示制御回路２７を通じてディスプレイ３７が接続され、映像音響制御回路２６から出力された映像信号が表示制御回路２７により表示用の信号に変換され、この表示信号がディスプレイ３７に供給される。さらに、システムバス２９には音響処理回路２８が接続され、この処理回路２８を通じてスピーカ３８に音響信号が供給されるとともに、マイクロフォン３９からの音響信号が音響処理回路２８を通じてマイクロコンピュータ２０に取り込まれる。
【００２７】
さらに、この装置や他の同様の装置により測定した視聴者の生体情報やデータをそれらの装置との間でやりとりするため、送受信回路３１および通信回路３２がシステムバス２９に接続され、通信回路３２は他のネットワーク、例えばインターネット４０に接続される。
【００２８】
このような構成において、ユーザインターフェイス２５を操作すると、ＤＶＤプレーヤ３６により映像信号および音響信号が再生され、その映像信号が、映像音響制御回路２６および表示制御回路２７を通じてディスプレイ３７に供給されて映像が表示されるとともに、音響信号が、映像音響制御回路２６および音響処理回路２８を通じてスピーカ３８に供給されて音響が再生される。
【００２９】
そして、このとき、ＣＰＵ２１によりルーチン１００が実行されて、ディスプレイ３７の映像およびスピーカ３８の音響に対する視聴者の覚醒度および感情価が算出され、この算出結果により、視聴者が映像や音響を心地よく感じるように、その映像および音響が制御される。
【００３０】
すなわち、ルーチン１００が実行されると、ステップ１０１において、生体情報センサ１１により測定された生体情報が、生体情報解析回路１２からマイクロコンピュータ２０に取り込まれ、次にステップ１０２においてステップ１０１により取り込まれた生体情報から覚醒度および感情価が算出される。この算出方法については、〔２〕により後述するが、それぞれ正および負の極性を取り得るアナログ値として算出される。
【００３１】
続いて、処理はステップ１０３に進み、このステップ１０３において、ステップ１０２により算出された覚醒度および感情価の極性が判別され、その極性の組み合わせにしたがって処理が分岐される。すなわち、覚醒度が正および負の値を取り得るとともに、感情価も正および負の値を取り得るので、覚醒度および感情価を２次元の座標により表現すると、図４に示すようになり、このとき、
領域１は、覚醒度＞０、かつ、感情価＞０（覚醒度が高く、心地よい）
領域２は、覚醒度＞０、かつ、感情価＜０（覚醒度が高いが、不快である）
領域３は、覚醒度＜０、かつ、感情価＞０（覚醒度が低くいが、心地よい）
領域４は、覚醒度＜０、かつ、感情価＜０（覚醒度が低く、不快でもある）
となる。
【００３２】
そこで、覚醒度および感情価が領域１に含まれる場合には、このときの映像および音響を心地よく感じていると視聴者の心理状態を推定し、処理はステップ１０３からステップ１１１に進む。そして、ステップ１１１においては、ディスプレイ３７およびスピーカ３８に供給される映像信号および音響信号を変更することなくステップ１０１に戻る。つまり、領域１の場合には、視聴者がこのときの映像および音響に満足していると判断し、それらの再生状態を変更しない。
【００３３】
しかし、覚醒度および感情価が領域２に含まれる場合には、このときの映像および音響を不快に感じていると視聴者の心理状態を推定し、処理はステップ１０３からステップ１１２に進む。そして、ステップ１１２において、視聴者の不快感を取り除くため、例えば、ディスプレイ３７に供給される映像信号の直流レベルや交流レベルを下げてディスプレイ３７に表示される映像の輝度やコントラストを下げる。また、スピーカ３８に供給される音響信号のレベルを下げたり、周波数特性を変更するなどしてスピーカ３８から出力される音響の音量を下げたり、低域や高域を弱めたり、あるいはリズムを弱めたりする。そして、その後、処理はステップ１０１に戻る。
【００３４】
なお、ステップ１１２により設定した状態が所定の期間にわたって続くときには、視聴者の覚醒度および感情価が改善されないときなので、このときには、ステップ１１２により、例えば映像および音響の再生が停止される。
【００３５】
さらに、覚醒度および感情価が領域３に含まれる場合には、処理はステップ１０３からステップ１１３に進み、このステップ１１３において、覚醒度を高めて満足度を高めたり、気分を高揚させたりするため、ステップ１１２とは逆に、例えば、ディスプレイ３７に供給される映像信号の直流レベルや交流レベルを上げてディスプレイ３７に表示される映像の輝度やコントラストを上げる。また、スピーカ３８に供給される音響信号のレベルを上げたり、周波数特性を変更するなどしてスピーカ３８から出力される音響の音量を上げたり、低域や高域を強めたり、あるいはリズムを強調したりし、その後、ステップ１０１に戻る。
【００３６】
なお、例えば視聴者がユーザインターフェイス２５を通じて就寝モードに設定している場合に、この領域３の状態になったときには、視聴者の安眠を妨げないため、このときの再生状態を維持する。
【００３７】
また、覚醒度および感情価が領域４に含まれる場合には、このときの映像および音響を不快に感じていると視聴者の心理状態を推定し、処理はステップ１０３からステップ１１２に進み、領域２の場合と同様、視聴者の不快感を取り除く。
【００３８】
したがって、ルーチン１００によれば、視聴者は映像および音響を常に心地よく視聴することができる。
【００３９】
こうして、上述の映像音響再生装置によれば、生体情報センサ１１から複数の生体情報を得て、視聴者の覚醒度および感情価を算出しているので、視聴者の心理状態とその強度を推定することができる。そして、その推定結果により心理状態に最適な状態で映像および音響を再生することができる。しかも、複数の生体情報を単一の生体情報センサ１１の出力から取り出しているので、視聴者の負担を軽減できるとともに、装置を簡略化することができる。
【００４０】
〔２〕  覚醒度および感情価の算出
視聴者の覚醒度および感情価が、現在、図４のどの領域に位置しているかは、次に述べる〔２−１〕、〔２−２〕の処理により知ることができる。そして、視聴者の現在の覚醒度および感情価が例えば図４の点Ｐにあるとき、その覚醒度および感情価が、点Ｐを含む曲線Ａのどちらに向かうかは、覚醒度および感情価の変化の履歴から判断することができる。
【００４１】
したがって、視聴者の現在の状態にもっともふさわしい映像および音響を常に提供することができる。また、視聴者の状態が良好なときには、これを維持したり、視聴者の状態が不良なときには、これを抑制したりすることができる。
【００４２】
〔２−１〕  覚醒度の算出
覚醒度は、心電信号や呼吸信号から求めることができ、生体情報センサ１１が非接触式および接触式のどちらであっても、呼吸数や脈拍数の初期値または標準値に対する変動から求めることができる。すなわち、覚醒度は、
覚醒度＝Ｒrm−Ｒrr                                    ・・・ (1)
Ｒrm：単位時間あたりの呼吸数の測定値
Ｒrr：単位時間あたりの呼吸数の初期値または標準値
または
覚醒度＝Ｐrm−Ｐrr                                    ・・・ (2)
Ｐrm：単位時間あたりの脈拍数の測定値
Ｐrr：単位時間あたりの脈拍数の初期値または標準値
から算出することができる。なお、脈拍数として心拍数を利用する場合にも、(2)式により覚醒度を求めることができる。
【００４３】
〔２−２〕  感情価の算出
感情価は、筋電信号から例えば次の(3)式により算出することができる。  
感情価＝∫｜Ｖemg(t)｜dt−Ｖemg_init                  ・・・ (3)
Ｖemg     ：筋電の振幅の測定値
Ｖemg_init：筋電の振幅の積分値（初期値）
または
感情価＝∫｜Ｖemg(t)｜dt−Ｖemg_ref                   ・・・ (4)
Ｖemg_ref ：筋電の振幅の積分値（標準値）
なお、正の感情価の決定は頬骨筋の筋電により行い、負の感情価の決定は皺眉筋あるいは輪筋の筋電により行うことができる。
【００４４】
〔３〕  その他
上述において、生体情報センサ１１として圧力センサを使用することができるが、その圧力センサとして、例えば「特開２００１−１４５６０５号公報」に記載されているように、気密性および柔軟性を有する袋体の内部に、空気圧センサを収納したものを使用することができる。また、上述においては、生体情報センサ１１の装着位置を対象者の胸の付近としたが、心電あるいは脈波と筋電とを同時に含む信号を検出できる部位であれば、生体情報センサをどこに装着してもよい。
【００４５】
さらに、上述において、視聴者の心理状態およびその強度の推定結果により、映像信号あるいは音響信号を変化させるとき、再生速度、音量、色およびコンテンツなどを変化させることができる。また、測定した生体情報およびその生体情報に基づいて変化させた映像信号あるいは音響信号を記録しておくこともできる。
【００４６】
そして、その記録媒体として、ハードディスク装置２４、光ディスク、光磁気ディスク、磁気テープ、ハードディスク、半導体メモリあるいはＩＣカードなどを使用することができる。さらに、その記録用の光ディスクは、ＣＤ、ＣＤ−Ｒ、ＣＤ−ＲＷ、ＭＤ、ＤＶＤ±Ｒ、ＤＶＤ±ＲＷ、ＤＶＤ−ＲＡＭ、ブルーレイディスクなどとすることができる。また、生体情報により映像信号および音響信号を変更するとしたが、その変更の許可・禁止を選択可能にすることもできる。
【００４７】
また、上述においては、算出した覚醒度および感情価により映像や音響の再生状態を制御したが、例えば家、オフィス、対人関係などのような対象者の環境を評価したり、製品などの使いやすさを評価したりすることもできる。さらに、覚醒度および感情価の算出結果をグラフや数値として表示することもできる。
【００４８】
〔略語の一覧〕
ＣＤ      ：Compact Disc
ＣＤ−Ｒ  ：CD Recordable
ＣＤ−ＲＷ：CD ReWritable
ＣＰＵ    ：Central Processing Unit
ＤＶＤ±Ｒ：DVD +Recordable, DVD Recordable
ＤＶＤ−ＲＡＭ：DVD Random Access Memory
ＤＶＤ±ＲＷ：DVD +ReWritable, DVD ReWritable
ＦＦＴ    ：Fast Fourier Transform
ＩＣ      ：Integrated Circuit
ＭＤ      ：Mini Disc
ＭＶ      ：Micro Vibration
ＲＡＭ    ：Random Access Memory
ＲＯＭ    ：Read Only Memory
ＲＳＡ    ：Respiratory Sinus Arrhythmia
【図面の簡単な説明】
【００４９】
【図１】この発明の一形態を示す系統図である。
【図２】センサ出力の処理方法の一例を示す図である。
【図３】この発明による制御フローの一例を示すフローチャートである。
【図４】この発明を説明するための図である。
【符号の説明】
【００５０】
１１…生体情報センサ、１２…生体情報解析回路、２０…マイクロコンピュータ、２１…ＣＰＵ、２２…ＲＯＭ、２３…ＲＡＭ、２４…ハードディスク装置、２５…ユーザインターフェイス、２６…映像音響制御回路、２７…表示制御回路、２８…音響処理回路、２９…システムバス、３１…送受信回路、３２…通信回路、３６…ＤＶＤプレーヤ、３７…ディスプレイ、３８…スピーカ、４０…インターネット、１００…ルーチン
【図１】
2006015046.tif 000003
【図２】
2006015046.tif 000004
【図３】
2006015046.tif 000005
【図４】
2006015046.tif 000006